(57)【要約】      （修正有）【課題】電源コードに張力がかかることがなく、電源コードを巻き取るコードリールが不要で、小型化できる照明装置を提供する。【解決手段】器具２が装置本体１からワイヤ３で吊り下げられ、ワイヤ３を駆動部４で繰り出し巻き取りすることで、器具２を昇降可能とし、装置本体１に滑車６を設け、駆動部４から出たワイヤ３の中間に中継部材７を装置本体１の内部に位置するように設け、中継部材７から器具２側へ出たワイヤ３で滑車６を介して器具２を吊り下げるとともに、中継部材７と器具２間の長さが、中継部材７と器具２間に設けられたワイヤ３と略同じ長さの電源コード８を、中継部材７に固定し滑車６を介して器具２側へ配線し、中継部材７から駆動部４側に出た電源コード８の収納部９を装置本体１に設けた。【選択図】図２
2006127934.tif 000002
【特許請求の範囲】
【請求項１】
器具が装置本体からワイヤで吊り下げられ、前記ワイヤを駆動部で繰り出し巻き取りすることで、前記器具を昇降可能とした照明装置において、
前記装置本体に滑車を設け、前記駆動部から出た前記ワイヤの中間に中継部材を前記装置本体の内部に位置するように設け、前記中継部材から器具側へ出たワイヤで滑車を介して前記器具を吊り下げるとともに、前記中継部材と前記器具間の長さが、中継部材と器具間に設けられたワイヤと略同じ長さの電源コードを、前記中継部材に固定し前記滑車を介して前記器具側へ配線し、前記中継部材から前記駆動部側に出た前記電源コードの収納部を前記装置本体に設けたことを特徴とする照明装置。
【請求項２】
電源コードは器具に供給する複数の線芯を有し、前記中継部材から駆動部側に出た電源コードを、前記複数の線芯からなる細線に分けた請求項１記載の照明装置。
【請求項３】
前記滑車と別の滑車が器具の長手方向両側の上側にある前記装置本体の位置にそれぞれ配置され、前記中継部材から前記器具側へ２本のワイヤを出し、１本のワイヤは前記滑車を介して前記器具の一端側を吊り下げ、他の１本のワイヤは滑車および他端側に設けられた前記別の滑車を介して前記器具の他端側を吊り下げる請求項１記載の照明装置。
【発明の詳細な説明】
【技術分野】
【０００１】
この発明は、照明器具を昇降させ、任意の位置で点灯できる照明装置に関するものである。
【背景技術】
【０００２】
従来の照明器具の昇降機構としては、例えば特許文献１に示す昇降式照明ポール装置がある。この場合、ポール内部に配設されて昇降する動滑車、ポールの上部に固定された固定滑車を有し、ワイヤの一端がポールに固定され、中間部が動滑車および固定滑車に巻き掛けられ、他端が可動台に固定されている。また、地中からポール内に引き出されたケーブル（電源コード）は、ポールの内壁上部まで配線されて固定された後に、中間部が動滑車に巻き掛けられて上方に向けて配線され、固定滑車に巻き掛けられた後に照明器具に電気的に接続されている。この構成によると、ケーブルはケーブル重量を超える力で下方向に引っ張られているので、可動台を下降させて保守作業する際に、ケーブルが巻き掛けられた滑車からケーブルが外れることがなくなり、保守作業に専念できるというものである。
【特許文献１】特開２００１−８４８２９号公報
【発明の開示】
【発明が解決しようとする課題】
【０００３】
しかしながら、上記従来例では、ケーブルはケーブル重量を超える力で下方向に引っ張られているので張力がかかり、昇降の妨げになるという問題がある。また、ケーブルに張力をかけなければケーブルが弛み滑車から外れるため、ケーブルを巻き取るコードリールが、器具を昇降させるワイヤリールとは別に必要となる。また、これとは別の例でケーブルにカールコードを使用する場合は昇降距離が少なく、伸びるにつれてケーブルに張力がかかり、縮んだ際のケーブル収納スペースが大きくなる。
【０００４】
したがって、この発明の目的は、電源コードに張力がかかることがなく、電源コードを巻き取るコードリールが不要で、小型化できる照明装置を提供することである。
【課題を解決するための手段】
【０００５】
上記課題を解決するためにこの発明の請求項１記載の照明装置は、器具が装置本体からワイヤで吊り下げられ、前記ワイヤを駆動部で繰り出し巻き取りすることで、前記器具を昇降可能とした照明装置において、前記装置本体に滑車を設け、前記駆動部から出た前記ワイヤの中間に中継部材を前記装置本体の内部に位置するように設け、前記中継部材から器具側へ出たワイヤで滑車を介して前記器具を吊り下げるとともに、前記中継部材と前記器具間の長さが、中継部材と器具間に設けられたワイヤと略同じ長さの電源コードを、前記中継部材に固定し前記滑車を介して前記器具側へ配線し、前記中継部材から前記駆動部側に出た前記電源コードの収納部を前記装置本体に設けた。
【０００６】
請求項２記載の照明装置は、請求項１記載の照明装置において、電源コードは器具に供給する複数の線芯を有し、前記中継部材から駆動部側に出た電源コードを、前記複数の線芯からなる細線に分けた。
【０００７】
請求項３記載の照明装置は、請求項１記載の照明装置において、前記滑車と別の滑車が器具の長手方向両側の上側にある前記装置本体の位置にそれぞれ配置され、前記中継部材から前記器具側へ２本のワイヤを出し、１本のワイヤは前記滑車を介して前記器具の一端側を吊り下げ、他の１本のワイヤは滑車および他端側に設けられた前記別の滑車を介して前記器具の他端側を吊り下げる。
【発明の効果】
【０００８】
この発明の請求項１記載の照明装置によれば、装置本体に滑車を設け、駆動部から出たワイヤの中間に中継部材を装置本体の内部に位置するように設け、中継部材から器具側へ出たワイヤで滑車を介して器具を吊り下げるとともに、中継部材と器具間の長さが、中継部材と器具間に設けられたワイヤと略同じ長さの電源コードを、中継部材に固定し滑車を介して器具側へ配線し、中継部材から駆動部側に出た電源コードの収納部を装置本体に設けたので、中継部材と器具間の電源コードが同じ経路のワイヤにより張力が負担される。これにより、電源コードに張力がかかることがなく、昇降の妨げになることがない。また、中継部材と器具間でワイヤと電源コードが略同じ長さなので、電源コードが弛んで滑車から外れることがない。このため、電源コードを巻き取るコードリールが不要となる。また、電源コードにカールコード等を使用しなくてもよいので、収納スペースが小さくなることで、照明装置を小型化できる。
【０００９】
請求項２では、電源コードは器具に供給する複数の線芯を有し、中継部材から駆動部側に出た電源コードを、前記複数の線芯からなる細線に分けたので、撓みやすく収納部に収納しやすくなる。
【００１０】
請求項３では、滑車と別の滑車が器具の長手方向両側の上側にある装置本体の位置にそれぞれ配置され、中継部材から器具側へ２本のワイヤを出し、１本のワイヤは滑車を介して器具の一端側を吊り下げ、他の１本のワイヤは滑車および他端側に設けられた別の滑車を介して器具の他端側を吊り下げるので、駆動部が１台で構成できる。
【発明を実施するための最良の形態】
【００１１】
以下、本発明の第１の実施形態の照明装置を図１〜図５に基づいて説明する。図１は本発明の第１の実施形態の照明装置の概念図、図２はその動作説明図、図３（ａ）は本発明の第１の実施形態の照明装置の全体を示す断面正面図、（ｂ）はその底面図、図４（ａ）は図３（ａ）の拡大図、（ｂ）はその断面側面図である。
【００１２】
図１および図２に示すように、この照明装置は、装置本体１に対して器具２がワイヤ３で吊り下げられ、ワイヤ３を駆動部４で繰り出し巻き取りすることで、器具２を昇降可能としている。
【００１３】
装置本体１は、図３および図４に示すように、下端が天井面Ａに位置するようにアンカーボルト５に固定された長尺の箱体であり、その内部の一端に滑車６、他端に一対の駆動部４が設けてある。駆動部４はワイヤリールまたはモータからなり、一方の駆動部４ａは装置本体１の長手方向にワイヤ３を繰り出せるように配置され、他方の駆動部４ｂは垂直方向にワイヤ３を繰り出せるように配置されている。また、一方の駆動部４ａから出たワイヤ３の中間に装置本体１の内部に位置するように中継部材７を設け、中継部材７から器具２側へ出たワイヤ３で滑車６を介して器具２の一端を吊り下げる。なお、中継部材７は、駆動部４ａから出たワイヤ３の先端までの間に設ければよい。他方の駆動部４ｂから出たワイヤ３は直接器具２の他端を吊り下げる。ワイヤ３による器具２の昇降可能高さは、例えば１０００ｍｍである。また、天井から装置本体１内に器具２に電源を供給する電源コード８が配線されている。電源コード８は、器具に供給する複数の線芯を絶縁材により一体に形成し、中継部材７と器具間の第１のコード８ａと、中継部材７から駆動部４ａ側に出た第２のコード８ｂとからなる。また、電源コード８の第１のコード８ａは、中継部材７と器具２間の長さが、中継部材７と器具２間に設けられたワイヤ３と略同じ長さである。この中継部材７と器具２間の第１のコード８ａは、中継部材７に固定し滑車６を介して器具２側へ配線される。この場合、滑車６の外周に一対の溝６ａ，６ｂが形成され、各溝にワイヤ３と第１のコード８ａをそれぞれ巻き掛けるようにしている。また、中継部材７から駆動部４側に出た電源コード８の第２のコード８ｂは、装置本体１内に形成された収納部９に収納される。この収納される第２のコード８ｂは、複数の線芯からなる細線に分けてもよい（図１）。また、中継部材７は、装置本体１内の上面に長手方向に設けたレール１０に移動自在に支持されている。中継部材７にはストッパ１１が設けられ、装置本体１側の部材に当接することで器具２が必要以上に昇降することを防止する。なお、装置本体１は一つでもよいが、図３および図５に示すように長手方向に複数連結して構成してもよい。
【００１４】
器具２は、装置本体１内の収納部９の下の空間に収納される。この場合、ランプ１５を接続するソケット１６および安定器１７等を取り付けた器具本体１８と、器具本体１８の両端に回転軸１９により取り付けられ、ワイヤ３により吊持されるワイヤ吊り本体２０とからなる。器具本体１８は、アルミニウム等で押し出し成形され、回転軸１９により器具本体１８に対して１８０°回転可能である。器具本体１８のランプ３が臨む下方は開口し、その位置にルーバ２１が取り付けてある。ルーバ２１は、例えば白色塗装され、側板が鏡面仕上げされている。ワイヤ吊り本体２０は器具本体１８が回転していない状態で、下面どうしが面一に形成されている。また、一方のワイヤ吊り本体２０より器具本体１８を通ってランプ１５に配線される。
【００１５】
次に上記照明装置の動作について説明する。図２および図４に示すように、器具２が装置本体１に収納された状態において、中継部材７は駆動部４側に移動し、駆動部４側に出た電源コード８の第２のコード８ｂは収納部９に収納されている。器具２を下降させる際には、駆動部４よりワイヤ３を繰り出すことで、中継部材７がレール１０に沿って滑車６側に移動する。駆動部４がモータのときは電動駆動し、巻き取り方向に付勢されたワイヤリールのときは手動で器具２を下降してワイヤ３を繰り出す。このとき、中継部材７と器具２間の電源コード８の第１のコード８ａが同じ経路のワイヤ３により張力が負担される。器具２が最下まできたとき中継部材７のストッパ１１が装置本体１側の部材に当接して器具２の落下を防止している。
【００１６】
以上のように本実施形態によれば、電源コード８に張力がかかることがなく、昇降の妨げになることがない。また、中継部材７と器具２間において、ワイヤ３と電源コード８の第１のコード８ａが略同じ長さなので、電源コード８が弛んで滑車６から外れることがない。このため、電源コード８を巻き取るコードリールが不要となる。
【００１７】
図６は本発明の第２の実施形態の照明装置の概念図である。図６に示すように、第１の実施形態において、滑車２５と別の滑車２６が器具２の長手方向両側の上側にある装置本体の位置にそれぞれ配置されている。滑車２５は第１の実施形態の滑車６に相当するが３本の溝を外周に有する。また、駆動部４は一方のみで構成されている。この駆動部４から出たワイヤ３の中間に中継部材７を設けている。また、中継部材７から器具２側へ２本のワイヤ３ａ，３ｂを出し、１本のワイヤ３ａは滑車２５を介して器具２の一端側を吊り下げ、他の１本のワイヤ３ｂは滑車２５および別の滑車２６を介して器具２の他端側を吊り下げる。また、電源コード（図示せず）は、第１の実施形態と同様に中継部材７に固定し滑車２５を介して器具２側へ配線している。この場合、滑車２５の３本の溝にワイヤ３ａ，３ｂおよび電源コードをそれぞれ巻き掛けている。本実施形態では、駆動部が１台で構成できる。その他の構成効果は、第１の実施の形態と同様である。
【００１８】
なお、中継部材７において、ワイヤ３ａは分離した状態で固定されているが、分離せずに固定してもよい。
【図面の簡単な説明】
【００１９】
【図１】本発明の第１の実施形態の照明装置の概念図である。
【図２】本発明の第1の実施形態の動作説明図である。
【図３】（ａ）は本発明の第１の実施形態の照明装置の全体を示す断面正面図、（ｂ）はその底面図
【図４】（ａ）は図３（ａ）の拡大図、（ｂ）はその断面側面図である。
【図５】本発明の第１の実施形態の照明装置の連結状態図である。
【図６】本発明の第２の実施形態の照明装置の概念図である。
【符号の説明】
【００２０】
１  装置本体
２  器具
３  ワイヤ
４  駆動部
６  滑車
７  中継部材
８  電源コード
【図１】
2006127934.tif 000003
【図２】
2006127934.tif 000004
【図３】
2006127934.tif 000005
【図４】
2006127934.tif 000006
【図５】
2006127934.tif 000007
【図６】
2006127934.tif 000008